(57)【要約】      （修正有）【課題】付属品を連結して交換可能なアダプタを有する水素発生装置を提供する。【解決手段】アダプタ２１を有する水素発生装置２は、瓶と、アダプタ２１と、付属品２２とを備え、瓶２３には電解ユニット２３２が設置され、アダプタ２１は瓶２３に連結され、付属品２２はアダプタ２１に連結される。これにより、水素発生装置２は電解を経て水素水または過酸化水素水を生成させてアダプタ２１により付属品２２を交換して連結可能になるため、使用者が任意で様々な空気吹き出し形式または水吹き出し形式の付属品２２に組み合わせることができるようになる。【選択図】図２
0003209008.tif 000002
【実用新案登録請求の範囲】
【請求項１】
電解ユニットが設置される瓶と、
前記瓶に連結されるアダプタと、
前記アダプタに連結される付属品と、を備えることを特徴とする、
アダプタを有する水素発生装置。
【請求項２】
前記アダプタは螺接方式または係合方式により前記瓶に連結されることを特徴とする、請求項１に記載のアダプタを有する水素発生装置。
【請求項３】
前記付属品は押圧式噴射ヘッドまたは加湿器を備えることを特徴とする、請求項１または２の何れか１項に記載のアダプタを有する水素発生装置。
【請求項４】
前記付属品は開口部を備え、且つ少なくとも１つの接続用パイプを介してウェアラブル部材に連通されることを特徴とする、請求項１または２の何れか１項に記載のアダプタを有する水素発生装置。
【請求項５】
前記ウェアラブル部材はアイマスクまたはフェースマスクを含むことを特徴とする、請求項４に記載のアダプタを有する水素発生装置。
【考案の詳細な説明】
【技術分野】
【０００１】
本考案は、水素発生装置に関し、更に詳しくは、アダプタを有する水素発生装置に関する。
【背景技術】
【０００２】
現代人は生活が忙しく、情緒が不安定になりやすいため、多くの人が積極的にリラックス方法を追求して、心身の向上を図っている。中でも、水素発生装置を利用して水分子を電解させた後に水素及び酸素を生成させ、使用者が吸入、飲用、または吸収する方法が近年広く運用されている。
【０００３】
図１は従来の水素発生装置を示す概略図である。水素発生装置１は、上部ふた１１及び瓶１２を備える。上部ふた１１はねじ山により瓶１２に連結され、瓶１２は電解ユニット１２１を有して瓶１２内部の水の電解を行い、水素及び酸素が生成され、水素水及び過酸化水素水（ｏｘｙｇｅｎａｔｅｄ  ｗａｔｅｒ）が更に生成される。
【考案の概要】
【考案が解決しようとする課題】
【０００４】
しかしながら、前述した従来の水素発生装置１を使用する場合、上部ふた１１は固定式で不変な形式に設計され、飲用形式のみであり、瓶１２に直接連結される方式であるため、上部ふた１１の交換に制限が多い。よって、使用者が従来の水素発生装置１を使用する場合に機能上の制限があった。
【０００５】
そこで、本考案者は上記の欠点が改善可能と考え、鋭意検討を重ねた結果、合理的設計で上記の課題を効果的に改善する本考案の提案に到った。
【０００６】
本考案の主な目的は、上述の問題を解決するために、アダプタを有する水素発生装置を提供することにある。
【課題を解決するための手段】
【０００７】
上述した課題を解決し、目的を達成するための本考案に係るアダプタを有する水素発生装置は、電解ユニットが設置される瓶と、前記瓶に連結されるアダプタと、前記アダプタに連結される付属品とを備えることを特徴とする。
【０００８】
これにより、水素発生装置は水が電解されることで水素水または過酸化水素水が生成されてアダプタにより付属品を交換して連結可能になるため、様々な空気吹き出し形式または水吹き出し形式の付属品を組み合わせることができるようになり、使用者が任意で付属品を好きなものに交換できるようになる。
【０００９】
好ましい実施態様のアダプタを有する水素発生装置において、前記アダプタは螺接方式または係合方式で前記瓶に連結される。
【００１０】
好ましい実施態様のアダプタを有する水素発生装置において、前記付属品は押圧式噴射ヘッドまたは加湿器を備える。
【００１１】
好ましい実施態様のアダプタを有する水素発生装置において、前記付属品は開口部を備え、且つ少なくとも１つの接続用パイプを介してウェアラブル部材に連通される。
【００１２】
好ましい実施態様のアダプタを有する水素発生装置において、前記ウェアラブル部材はアイマスクまたはフェースマスクを含む。
【考案の効果】
【００１３】
本考案によれば、アダプタが水素発生装置に被装され、使用者が実際の需要に応じて様々な空気吹き出し形式または水吹き出し形式の付属品を組み合わせることができるようになる。
【図面の簡単な説明】
【００１４】
【図１】従来の水素発生装置を示す概略図である。
【図２】本考案の一実施形態に係るアダプタを有する水素発生装置を示す概略図である。
【図３】本考案の一実施形態に係るアダプタを有する水素発生装置を示す概略図である。
【図４】本考案の一実施形態に係るアダプタを有する水素発生装置を示す概略図である。
【考案を実施するための形態】
【００１５】
以下、図面を参照して、本考案を実施するための形態について詳細に説明する。なお、本考案は、以下に説明する実施形態に限定されるものではない。
【実施例】
【００１６】
（第１実施形態）
図２乃至図４は本考案の様々な実施形態に係るアダプタを有する水素発生装置をそれぞれ示す概略図である。
本考案に係るアダプタを有する水素発生装置２は、瓶２３と、アダプタ２１と、付属品２２、２４、２５とを備え、アダプタ２１は瓶２３に連結され、付属品２２、２４、２５はアダプタ２１に連結される。アダプタ２１は螺接方式または係合方式により前記瓶２３に連結される。
【００１７】
さらに、瓶２３には電解ユニット２３２が設置され、瓶内の水に対する電解反応が行われ、且つパイプ２３１を経由して、アダプタ２１及び付属品２２、２４、２５を通過させて、瓶２３内で水の電解により生成された気体（例えば、水素、酸素）または液体（水素水または過酸化水素水）が付属品２２、２４、２５から放出される。
【００１８】
更に詳しくは、アダプタ２１は瓶２３と付属品２２、２４、２５との間に設置され、使用者は需要に応じて付属品２２、２４、２５を自分で交換できる。本考案の実施形態において、付属品２２、２４、２５は様々な形式を含み、これは押圧式噴射ヘッド（図２参照）形式、加湿器（図３参照）形式、または開口部（図４参照）形式を含む。
【００１９】
ちなみに、図４の実施形態による付属品２５は開口部であり、且つ少なくとも１つの接続用パイプ２５１を介してウェアラブル部材２５２に連通され、瓶２３内の水の電解を経て生成された気体または液体が、接続用パイプ２５１からウェアラブル部材２５２に輸送され、使用者により使用される。ウェアラブル部材２５２はアイマスクまたはフェースマスクを含み、本実施形態ではフェースマスク構造を呈する。
【００２０】
上述したように、本考案のアダプタを有する水素発生装置は、アダプタが水素発生装置に被装されることにより、使用者が実際の需要に応じて様々な空気吹き出し形式または水吹き出し形式の付属品を組み合わせることができる。
【００２１】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う様々な同様の効果をもつ改良又は変更は、実用新案登録請求の範囲に含まれるものとする。
【符号の説明】
【００２２】
１      水素発生装置
１１    上部ふた
１２    瓶
１２１  電解ユニット
２      アダプタを有する水素発生装置
２１    アダプタ
２２    付属品
２３    瓶
２４    付属品
２５    付属品
２３１  パイプ
２３２  電解ユニット
２５１  接続用パイプ
２５２  ウェアラブル部材
【図１】
0003209008.tif 000003
【図２】
0003209008.tif 000004
【図３】
0003209008.tif 000005
【図４】
0003209008.tif 000006